(57)【要約】【課題】扉体の着脱を容易に行う。【解決手段】扉体１５の上回動軸１５１ａの径外方向に係止片１５２を延在し、上回動軸１５１ａが支承してある上軸受孔１６１に対して係止片１５２が挿通する態様で上軸受孔１６１の径外方向に延在する係止溝孔１６２を設ける。そして、扉体１５が所定の開放位置（全開放状態の位置）にあるときに、係止片１５２が係止溝孔１６２に挿通可能にして、回動軸１５１を軸受孔から外して、扉体１５をラックケース１１から外れるようにした。この結果、扉体１５の着脱を容易に行うことができる。【選択図】        図９
2006011612.tif 000002
【特許請求の範囲】
【請求項１】
側部開口から商品を積み上げて収納されるラックケースと、前記ラックケースに収納した商品を支持する態様で前記側部開口を閉塞する扉体とを有した自動販売機の商品収納ラックにおいて、
前記ラックケース側に対向配置した１対の軸受孔に挿通された回動軸を介して前記側部開口を開閉する態様で前記扉体を揺動可能に設けてあり、前記軸受孔からの前記回動軸の抜け出しを阻止する一方、前記扉体が所定の開放位置にあるときに前記軸受孔からの前記回動軸の抜け出しを許容する扉体着脱手段を備えたことを特徴とする自動販売機の商品収納ラック。
【請求項２】
前記扉体着脱手段は、
前記回動軸の径外方向に延在する係止片と、
前記軸受孔の外方向に延在してあり、前記扉体が所定の開放位置にあるときに前記係止片を挿通可能に配設した係止溝孔と
を備えてなることを特徴とする請求項１に記載の自動販売機の商品収納ラック。
【発明の詳細な説明】
【技術分野】
【０００１】
本発明は、紙パック、缶、ビンあるいはペットボトルなどの各種商品を収納する自動販売機の商品収納ラックに関するものである。
【背景技術】
【０００２】
従来、自動販売機に関し、紙パック、缶、ビンあるいはペットボトルなどの各種商品を収納する商品収納ラックが知られている。商品収納ラックは、商品を上下方向に積み上げて収納するラックケースを有し、販売指令に応じて商品を下から１つずつ切り出して搬出するものである。ラックケースは、前方が前面扉によって開閉可能とされた断熱筐体をなす自動販売機の本体キャビネットに対して収容してあり、当該本体キャビネットの前方に引き出し可能に設けてある。そして、ラックケースは、本体キャビネットの前方に引き出された形態において、側部開口から商品を積み上げて収納される。このラックケースには、積み上げて収納された商品が側部開口から崩れ落ちる事態を防止するために側部開口を閉塞する扉体を設けてある。扉体は、上下に延在する回動軸をラックケースの上下位置に設けた軸受孔に挿通支持してあって側部開口を開閉する態様で揺動するものである（例えば、特許文献１参照）。
【０００３】
【特許文献１】特開２００２−１８３８２２号公報
【発明の開示】
【発明が解決しようとする課題】
【０００４】
上述した従来の自動販売機の商品収納ラックでは、例えば商品を搬出する搬出装置のメンテナンス作業などを行うとき、開放した扉体が邪魔になる場合がある。このような場合には、必要に応じて扉体を取り外すことになる。しかし、扉体は、ネジなどで固定された保持部材によって軸受孔からの回動軸の抜け出しを阻止してある。このため、扉体をラックケースから取り外す際には、工具によってネジなどを外して保持部材による阻止を解除する必要がある。一方、扉体をラックケースに取り付ける際には、工具によってネジなどを付けて保持部材による阻止を復帰する必要がある。このように、従来では、扉体を容易に着脱することができない。
【０００５】
本発明は、上記実情に鑑みて、扉体の着脱を容易に行うことができる自動販売機の商品収納ラックを提供することを目的とする。
【課題を解決するための手段】
【０００６】
上記の目的を達成するために、本発明の請求項１に係る自動販売機の商品収納ラックは、側部開口から商品を積み上げて収納されるラックケースと、前記ラックケースに収納した商品を支持する態様で前記側部開口を閉塞する扉体とを有した自動販売機の商品収納ラックにおいて、前記ラックケース側に対向配置した１対の軸受孔に挿通された回動軸を介して前記側部開口を開閉する態様で前記扉体を揺動可能に設けてあり、前記軸受孔からの前記回動軸の抜け出しを阻止する一方、前記扉体が所定の開放位置にあるときに前記軸受孔からの前記回動軸の抜け出しを許容する扉体着脱手段を備えたことを特徴とする。
【０００７】
本発明の請求項２に係る自動販売機の商品収納ラックは、上記請求項１において、前記扉体着脱手段は、前記回動軸の径外方向に延在する係止片と、前記軸受孔の外方向に延在してあり、前記係止片の挿通を阻止する一方、前記扉体が所定の開放位置にあるときに前記係止片を挿通可能に配設した係止溝孔とを備えてなることを特徴とする。
【発明の効果】
【０００８】
本発明に係る自動販売機の商品収納ラックは、扉体が所定の開放位置にあるときに軸受孔からの回動軸の抜け出しを許容する扉体着脱手段を備えた。この結果、例えば商品収納ラックのメンテナンス作業などを行うときに、開放した扉体が邪魔になった場合でも、扉体の着脱を容易に行うことができる。
【発明を実施するための最良の形態】
【０００９】
以下に添付図面を参照して、本発明に係る自動販売機の商品収納ラックの好適な実施例を詳細に説明する。なお、この実施例によりこの発明が限定されるものではない。
【実施例】
【００１０】
図１は本発明に係る商品収納ラックを備えた自動販売機の一例を示す斜視図、図２は本発明に係る商品収納ラックを示す斜視図、図３はベンド機構の動作を示す側面図、図４は本発明の商品収納ラックにおける扉体の構成を示す分解斜視図、図５は扉体の閉塞位置を示す平面図、図６は扉体の閉塞位置を示す側面図、図７は扉体の開放状態を示す平面図、図８は扉体の開放状態を示す側面図、図９は扉体の所定の開放位置を示す平面図、図１０は扉体の着脱状態を示す側面図である。
【００１１】
ここで例示する自動販売機は、紙パック、缶、ビンあるいはペットボトルなどの各種商品を販売するためのもので、図１に示すように本体キャビネット１、外扉２および断熱扉３を備えている。
【００１２】
本体キャビネット１は、複数の鋼板を適宜組み合わせることによって構成したもので、前面が開口した直方状を成している。この本体キャビネット１の内部（機内）には、商品収納庫４を設けてある。商品収納庫４は、複数（本実施例では２つ）の独立した収納庫４ａ，４ｂを並設してある。
【００１３】
商品収納庫４は、商品Ｗを所望の温度に維持した状態で収容するためのもので、前面に開口を有している。商品収納庫４内のそれぞれの上方部には、後述する商品収納ラック１０を複数配設してある。商品収納ラック１０は、本実施例では各収納庫４ａ，４ｂにそれぞれ２つずつ収容してあり計４つ設けてある。各商品収納ラック１０の下側には、当該商品収納ラック１０から切り出した商品Ｗを商品収納庫４の前方に搬出するシュータ５を設けてある。
【００１４】
商品収納庫４内のシュータ５によって区画される下方部には、熱交換器を配設してある。例えば正面向かって左側に位置する収納庫４ａが冷却専用としてある場合には、図には明示しないが熱交換器として冷却ユニットの蒸発器、並びに庫内ファンや庫内ファン用モータを備える。これに対して例えば右側に位置する収納庫４ｂが冷却／加温切り換え可能としてある場合には、図には明示しないが熱交換器として冷却ユニットの蒸発器、並びに庫内ファンや庫内ファン用モータに加えて加熱ヒータを備える。
【００１５】
上記商品収納庫４（４ａ，４ｂ）の下方となる位置には、機械室６を設けてある。機械室６は、上述した収納庫４ａ，４ｂで共通に使用する機械部品を収容するためのものである。図には明示しないが機械室６には、圧縮機、凝縮器および膨張器といった冷却ユニットの構成部品、並びに庫外ファンや庫外ファン用モータを配設してある。膨張器から各収納庫４ａ，４ｂに配設した蒸発器に至る冷媒供給管には、駆動する蒸発器を選択するための電磁バルブを個別に設けてある。
【００１６】
外扉２は、本体キャビネット１の前面開口を覆うに十分な大きさを有したもので、鋼材により堅牢に構成してあり、本体キャビネット１の一側縁部に支承してある。この外扉２には、商品取出口２ａを設けてある。外扉２の前面（外面）には、図には明示しないが商品見本などを視認させるディスプレイウィンドや、商品を販売するための硬貨投入口、紙幣挿入口、表示器、硬貨返却口および商品選択ボタンなどを設けてある。一方、外扉２の背面（内面）側には、図には明示しないが硬貨処理機、硬貨回収箱および紙幣処理機などを設けてある。
【００１７】
自動販売機の断熱扉３は、本体キャビネット１に設けた商品収納庫４（４ａ，４ｂ）の前面の開口を覆うに十分な大きさを有したもので、鋼材によって断熱性を備えて構成してある。断熱扉３は、商品収納庫４の前面開口を密閉状態に閉塞することによって商品収納庫４内を外部から断熱する。この断熱扉３には、シュータ５から導かれた商品Ｗを外扉２の商品取出口２ａに搬出する搬出扉３ａを設けてある。
【００１８】
以下、商品収納ラック１０について説明する。図１に示すように商品収納ラック１０は、上述した自動販売機における本体キャビネット１の内部に吊り下げて設けてあり、図には明示しないレールなどによって前面開口から前方に引き出し可能に配設してある。図２示すように商品収納ラック１０には、商品Ｗを収納する複数のラックケース１１を設けてある。ラックケース１１は、商品収納ラック１０の引き出し方向に複数並設してある。本実施例におけるラックケース１１は、商品収納ラック１０の引き出し方向に対向する前板１２ａおよび後板１２ｂを有し、前板１２ａと後板１２ｂとの間の一側を閉塞する側板１２ｃを有して他側に側部開口１２ｄをなす平面視で略コ字状のフレーム１２を形成してある。そして、前板１２ａと後板１２ｂとの間を仕切部１３で仕切ることによって商品収納ラック１０の引き出し方向に並ぶ２つのラックケース１１，１１を一体に構成してある。仕切部１３の下端部には、ベンド機構１４を設けてある。そして、ラックケース１１には、側部開口１２ｄより商品Ｗ（例えば紙パック商品あるいは缶商品など）が積み上げて収納される。
【００１９】
図２および図３に示すようにベンド機構１４は、下フラッパ１４ａと上フラッパ１４ｂとを有している。下フラッパ１４ａおよび上フラッパ１４ｂは、それぞれラックケース１１の内部に突出する突出位置と、ラックケース１１の内部から退避する退避位置とに移動可能に設けてある。下フラッパ１４ａおよび上フラッパ１４ｂは、モータやソレノイドなどの駆動部（図示せず）によって突出位置と退避位置とに移動する。
【００２０】
商品Ｗをラックケース１１に収納している販売待機状態では、図２および図３（ａ）に示すようにベンド機構１４は、下フラッパ１４ａが突出位置にあって、上フラッパ１４ｂが退避位置にある。この販売待機状態のときベンド機構１４は、図３（ａ）に示すように突出位置にある下フラッパ１４ａによって最下の商品Ｗを保持することによってその上の全ての商品Ｗを保持している。ここで、自動販売機に貨幣が投入されて商品選択ボタンが選択されて販売指令が入力されると、ベンド機構１４は、販売状態になる。この販売状態のときベンド機構１４は、図３（ｂ）に示すように、まず上フラッパ１４ｂが突出位置になって下から２番目の商品Ｗを保持し、次に下フラッパ１４ａが退避位置になって最下の商品Ｗのみを落下させる。その後、下フラッパ１４ａを突出位置に戻してから上フラッパ１４ｂを退避位置に戻して再び販売待機状態に至る。このように、ベンド機構１４は、販売指令に応じて最下の商品Ｗのみを搬出する。ラックケース１１から落下した商品Ｗは、図１に示すシュータ５で滑落して断熱扉３の搬出扉３ａを経て外扉２の商品取出口２ａに至る。なお、図３では、商品Ｗの一例として紙パック商品Ｗを図示している。販売状態のとき、紙パック商品Ｗを上フラッパ１４ｂで保持する場合は、当該紙パック商品Ｗの側部を押す態様で保持する。その他、販売状態のとき、例えば図２で示す缶商品Ｗを上フラッパ１４ｂで保持する場合は、当該缶商品Ｗを下側から支える態様で保持する。
【００２１】
なお、図には明示しないが、ラックケース１１には、大きさの異なる各種商品に対応するための規制部材を備えている。規制部材は、例えばラックケース１１におけるフレーム１２の前板１２ａから仕切部１３の間隔や、後板１２ｂから仕切部１３の間隔を変えて商品収納領域の大きさを可変することで当該商品収納領域を商品Ｗの幅方向に合わせる構成を有している。さらに、規制部材は、ラックケース１１におけるフレーム１２の側板１２ｃから側部開口１２ｄの間隔を変えて商品収納領域の大きさを可変することで当該商品収納領域を商品Ｗの長さ方向に合わせる構成を有している。
【００２２】
図１および図４に示すように上記ラックケース１１には、側部開口１２ｄから積み上げて収納された商品Ｗが、側部開口１２ｄから崩れ落ちる事態を防止するために当該側部開口１２ｄを閉塞する扉体１５を設けてある。なお、図４では、１つのラックケース１１の側部開口１２ｄに対応する１つの扉体１５を示してある。
【００２３】
図４に示すように扉体１５は、ほぼ板状を呈してあり、その側端部に上下に延在する回動軸１５１を設けてある。本実施例における回動軸１５１は、扉体１５の上側に延在して設けた上回動軸１５１ａと、扉体１５の下側に延在して設けた下回動軸１５１ｂとからなる。各回動軸１５１ａ，１５１ｂは、上下方向に延在する同じ軸線上に配設してある。なお、図４に示す回動軸１５１（１５１ａ，１５１ｂ）は、板金を円筒状に湾曲形成してなるものであるが、棒状に形成してあってもよい。
【００２４】
また、扉体１５には、上回動軸１５１ａの上端よりも下側の位置において当該上回動軸１５１ａの径外方向に延在した板片状の係止片（扉体着脱手段）１５２を設けてある。この係止片１５２は、扉体１５の板状部分に沿って設けてある。そして、上回動軸１５１ａは、係止片１５２よりも上側に延在する部分が実質的に扉体１５の回動軸１５１として作用する上回動軸１５１ａをなす。
【００２５】
また、扉体１５の板状の上端部には、係合孔１５３を設けてある。さらに、扉体１５の板状の下端部には、下方に延在する板片状の当接片１５４を設けてある。さらにまた、扉体１５の板状の下端部であって下回動軸１５１ｂの近傍位置には、略水平な下端縁部１５５を設けてある。
【００２６】
上記扉体１５は、回動軸１５１（１５１ａ，１５１ｂ）が、ラックケース１１の上下位置に対向して設けた１対の軸受孔（上軸受孔１６１，下軸受孔１７１）にそれぞれ挿通支持されて、側部開口１２ｄを開閉する態様で揺動可能に配設される。
【００２７】
上軸受孔１６１は、ラックケース１１をなすフレーム１２の上側の開口を閉塞する板状の上板１６に穿設してある。上軸受孔１６１は、上回動軸１５１ａを挿通し得る円孔をなしている。この上軸受孔１６１には、当該上軸受孔１６１の径外方向に延在する係止溝孔（扉体着脱手段）１６２が一体に設けてある。係止溝孔１６２は、扉体１５に設けた係止片１５２を挿通し得る長孔をなしている。すなわち、上軸受孔１６１および係止溝孔１６２は、上回動軸１５１ａおよび係止片１５２を共に挿通する。この係止溝孔１６２は、扉体１５が側部開口１２ｄを閉塞している閉塞位置にある状態において扉体１５から離れる方向に延在してあり、扉体１５が側部開口１２ｄを開放している所定の開放位置にある状態において係止片１５２を挿通する態様で設けてある。なお、上軸受孔１６１を設けてある上板１６には、閉塞位置にある扉体１５の係合孔１５３に係合する態様で上向きに折曲形成した係合片１６３を設けてある。
【００２８】
下軸受孔１７１は、ラックケース１１をなすフレーム１２の下端部において側部開口１２ｄを跨ぐ態様で設けた下端フレーム１７に設けてある。下端フレーム１７は、上方に延在する板状の基板（図示せず）の上端をほぼ水平方向に折曲形成した部分である。下軸受孔１７１は、この水平部分に穿設してある。下軸受孔１７１は下回動軸１５１ｂを挿通し得る矩形状をなしている。なお、下軸受孔１７１を設けてある下端フレーム１７には、上向きに折曲形成した案内規制片１７２を設けてある。この案内規制片１７２は、閉塞位置にある扉体１５の下端縁部１５５に当接する第１当接部１７２ａと、第１当接部１７２ａの上縁をなし開放中の扉体１５の下端縁部１５５を載せて扉体１５の開放を案内する案内縁部１７２ｂと、第１当接部１７２ａよりも上方に延在してなり所定の開放位置にある扉体１５の下端縁部１５５に当接する第２当接部１７２ｃとを設けてある。
【００２９】
図５および図６に示すように扉体１５は、上回動軸１５１ａが上軸受孔１６１に挿通され、下回動軸１５１ｂが下軸受孔１７１に挿通されてラックケース１１の側部開口１２ｄを開閉可能に支持してある。図５および図６では、扉体１５が側部開口１２ｄを閉塞している閉塞位置にある。この閉塞位置において、扉体１５は、図６に示すように係合孔１５３が係合片１６３に係合し、下端縁部１５５が第１当接部１７２ａの側部開口１２ｄ側に位置していることによって、閉塞位置を維持されている。この閉塞位置のとき、図５に示すように扉体１５は、係止片１５２が係止溝孔１６２に対して向きが異なるため、係止片１５２が上軸受孔１６１の周縁（上板１６の底部）に当接するので、全体を上方に持ち上げても下回動軸１５１ｂが下軸受孔１７１から抜けることがなく、回動軸１５１（１５１ａ，１５１ｂ）が軸受孔１６１，１７１から外れることがない。このため、扉体１５は、ラックケース１１から外れない。
【００３０】
図７および図８に示すように扉体１５は、全体を上方に持ち上げて開放方向に揺動して側部開口１２ｄを開放する。上述したように扉体１５は、係止片１５２による規制によってラックケース１１から外れることがなく、係合孔１５３が係合片１６３の係合から離脱し、下端縁部１５５が案内縁部１７２ｂの上に載ることによって、開放状態になる。この開放状態のとき、図７に示すように扉体１５は、係止片１５２が係止溝孔１６２に対して向きが異なるため、係止片１５２が上軸受孔１６１の周縁（上板１６の底部）に当接するので、全体を上方に持ち上げても下回動軸１５１ｂが下軸受孔１７１から抜けることがなく、回動軸１５１（１５１ａ，１５１ｂ）が軸受孔１６１，１７１から外れることがない。このため、扉体１５は、ラックケース１１から外れない。そして、扉体１５の開放状態において、ラックケース１１への商品Ｗの補充が行われる。
【００３１】
図７および図８に示す開放状態から扉体１５をさらに開放方向に揺動すると、図９に示すように扉体１５は、所定の開放位置になる。ここで、所定の開放位置とは、図８に示す開放状態において、さらに開放方向に扉体１５を揺動すると、下端縁部１５５が案内縁部１７２ｂの上に載っているので、その開放が案内される。さらに開放方向に扉体１５を揺動すると下端縁部１５５が第２当接部１７２ｃに当接して開放方向の揺動が規制されることになる。この揺動が規制されて扉体１５が全開放状態となった位置が所定の開放位置になる。
【００３２】
図１０に示すように所定の開放位置では、係止片１５２が係止溝孔１６２に対して向きが同じくなるため、扉体１５全体を上方に持ち上げることで、係止片１５２が係止溝孔１６２に挿通される。このため、下回動軸１５１ｂが下軸受孔１７１から抜けることになる。下回動軸１５１ｂが下軸受孔１７１から抜ければ、扉体１５を下方に移動することで、上回動軸１５１ａが上軸受孔１６１から抜ける。この結果、回動軸１５１（１５１ａ，１５１ｂ）が軸受孔１６１，１７１から外れて、扉体１５がラックケース１１から外れる。
【００３３】
また、逆の手順で、ラックケース１１から外れた扉体１５を上方に移動させながら、係止片１５２が係止溝孔１６２に挿通する態様で上回動軸１５１ａを上軸受孔１６１に挿通した後、扉体１５を下方に移動して下回動軸１５１ｂを下軸受孔１７１に挿通すれば所定の開放位置で扉体１５がラックケース１１に取り付けられる。
【００３４】
さらに、所定の開放位置、あるいは開放状態から扉体１５を閉塞方向に揺動すると、下端縁部１５５が案内縁部１７２ｂの上に載っているので、その揺動が案内される。そして、扉体１５が閉塞位置に至るとき、下端縁部１５５が案内縁部１７２ｂの上から第１当接部１７２ａの側部開口１２ｄ側に落ちる。このとき、図６に示すように係合孔１５３が係合片１６３に係合して、扉体１５は、自動的に閉塞位置になって、かつ閉塞位置を維持されることになる。
【００３５】
このように上述した自動販売機の商品収納ラックでは、扉体着脱手段として、扉体１５の上回動軸１５１ａの径外方向に係止片１５２を延在し、上回動軸１５１ａが支承してある上軸受孔１６１に対して係止片１５２が挿通する態様で上軸受孔１６１の径外方向に延在する係止溝孔１６２を設けてある。そして、扉体１５が所定の開放位置（全開放状態の位置）にあるときに、係止片１５２が係止溝孔１６２に挿通可能にして、回動軸１５１（１５１ａ，１５１ｂ）を軸受孔１６１，１７１から外して、扉体１５をラックケース１１から外れるようにしてある。この結果、例えばベンド機構１４のメンテナンス作業や、各種商品の大きさに応じてラックケース１１内の商品収納領域の大きさを可変する作業などを行うときに、開放した扉体１５が邪魔になった場合でも、扉体１５の着脱を容易に行うことが可能になる。
【図面の簡単な説明】
【００３６】
【図１】本発明に係る商品収納ラックを備えた自動販売機の一例を示す斜視図である。
【図２】本発明に係る商品収納ラックを示す斜視図である。
【図３】ベンド機構の動作を示す側面図である。
【図４】本発明の商品収納ラックにおける扉体の構成を示す分解斜視図である。
【図５】扉体の閉塞位置を示す平面図である。
【図６】扉体の閉塞位置を示す側面図である。
【図７】扉体の開放状態を示す平面図である。
【図８】扉体の開放状態を示す側面図である。
【図９】扉体の所定の開放位置を示す平面図である。
【図１０】扉体の着脱状態を示す側面図である。
【符号の説明】
【００３７】
１    本体キャビネット
１０    商品収納ラック
１１    ラックケース
１２    フレーム
１２ａ    前板
１２ｂ    後板
１２ｃ    側板
１２ｄ    側部開口
１３    仕切部
１４    ベンド機構
１４ａ    下フラッパ
１４ｂ    上フラッパ
１５    扉体
１５１    回動軸
１５１ａ    上回動軸
１５１ｂ    下回動軸
１５２    係止片
１５３    係合孔
１５４    当接片
１５５    下端縁部
１６    上板
１６１    上軸受孔
１６２    係止溝孔
１６３    係合片
１７    下端フレーム
１７１    下軸受孔
１７２    案内規制片
１７２ａ    第１当接部
１７２ｂ    案内縁部
１７２ｃ    第２当接部
Ｗ    商品
【図１】
2006011612.tif 000003
【図２】
2006011612.tif 000004
【図３】
2006011612.tif 000005
【図４】
2006011612.tif 000006
【図５】
2006011612.tif 000007
【図６】
2006011612.tif 000008
【図７】
2006011612.tif 000009
【図８】
2006011612.tif 000010
【図９】
2006011612.tif 000011
【図１０】
2006011612.tif 000012